(57)【要約】【課題】複数の放送を受信し、受信性能の劣化を防ぎ、小型化を図り、かつ消費電力を低減することが可能なチューナを提供する。【解決手段】チューナ１０１は、受けたＲＦ信号と、第１の放送または第２の放送に対応する局部発振信号とを乗算することによりＲＦ信号をＩＦ信号に周波数変換するミキサ回路４と、周波数変換されたＩＦ信号を復調することにより第１の放送に対応する第１の復調信号を生成する第１の復調回路１１と、周波数変換されたＩＦ信号を復調することにより第２の放送に対応する第２の復調信号を生成する第２の復調回路１３と、第１の復調回路１１へのクロックの出力を停止することにより第１の復調回路１１の復調動作を停止するか、第２の復調回路１３へのクロックの出力を停止することにより第２の復調回路１３の復調動作を停止するかを切り替えるクロック制御回路１５，１６とを備える。【選択図】図１
2009094622.tif 000002
【特許請求の範囲】
【請求項１】
第１の放送および第２の放送を受信するチューナであって、
受けたＲＦ信号と、前記第１の放送または前記第２の放送に対応する局部発振信号とを乗算することにより前記ＲＦ信号をＩＦ信号に周波数変換するミキサ回路と、
前記周波数変換された前記ＩＦ信号を復調することにより前記第１の放送に対応する第１の復調信号を生成する第１の復調回路と、
前記周波数変換された前記ＩＦ信号を復調することにより前記第２の放送に対応する第２の復調信号を生成する第２の復調回路と、
前記第１の復調回路へのクロックの出力を停止することにより前記第１の復調回路の復調動作を停止するか、前記第２の復調回路への前記クロックの出力を停止することにより前記第２の復調回路の復調動作を停止するかを切り替えるクロック制御回路とを備えるチューナ。
【請求項２】
前記チューナは、さらに、
前記周波数変換された前記ＩＦ信号のうち、所定周波数帯域外の周波数成分を減衰させるＳＡＷフィルタと、
前記ＳＡＷフィルタを通過した前記ＩＦ信号のレベル調整を行なうＡＧＣ回路とを備え、
前記第１の復調回路は、前記ＡＧＣ回路によってレベル調整された前記ＩＦ信号を復調することにより前記第１の放送に対応する第１の復調信号を生成し、
前記第２の復調回路は、前記ＡＧＣ回路によってレベル調整された前記ＩＦ信号を復調することにより前記第２の放送に対応する第２の復調信号を生成する請求項１記載のチューナ。
【請求項３】
前記チューナは、さらに、
前記周波数変換された前記ＩＦ信号のうち、所定周波数帯域外の周波数成分を減衰させるＳＡＷフィルタと、
前記ＳＡＷフィルタを通過した前記ＩＦ信号のレベル調整を行なう第１のＡＧＣ回路と、
前記ＳＡＷフィルタを通過した前記ＩＦ信号のレベル調整を行なう第２のＡＧＣ回路とを備え、
前記第１の復調回路は、前記第１のＡＧＣ回路によってレベル調整された前記ＩＦ信号を復調することにより前記第１の放送に対応する第１の復調信号を生成し、
前記第２の復調回路は、前記第２のＡＧＣ回路によってレベル調整された前記ＩＦ信号を復調することにより前記第２の放送に対応する第２の復調信号を生成する請求項１記載のチューナ。
【請求項４】
前記チューナは、さらに、
前記周波数変換された前記ＩＦ信号のうち、前記第１の放送に対応する周波数帯域外の周波数成分を減衰させる第１のＳＡＷフィルタと、
前記周波数変換された前記ＩＦ信号のうち、前記第２の放送に対応する周波数帯域外の周波数成分を減衰させる第２のＳＡＷフィルタと、
前記第１のＳＡＷフィルタを通過したＩＦ信号のレベル調整を行なう第１のＡＧＣ回路と、
前記第２のＳＡＷフィルタを通過したＩＦ信号のレベル調整を行なう第２のＡＧＣ回路とを備え、
前記第１の復調回路は、前記第１のＡＧＣ回路によってレベル調整された前記ＩＦ信号を復調することにより前記第１の放送に対応する第１の復調信号を生成し、
前記第２の復調回路は、前記第２のＡＧＣ回路によってレベル調整された前記ＩＦ信号を復調することにより前記第２の放送に対応する第２の復調信号を生成する請求項１記載のチューナ。
【請求項５】
前記チューナは、さらに、
前記周波数変換された前記ＩＦ信号をデジタル信号に変換するアナログデジタルコンバータを備え、
前記第１の復調回路は、前記アナログデジタルコンバータから受けた前記デジタル信号を復調することにより前記第１の放送に対応する第１の復調信号を生成し、
前記第２の復調回路は、前記アナログデジタルコンバータから受けた前記デジタル信号を復調することにより前記第２の放送に対応する第２の復調信号を生成する請求項１記載のチューナ。
【請求項６】
前記チューナは、さらに、
前記周波数変換された前記ＩＦ信号のレベル調整を行なうＡＧＣ回路を備え、
前記アナログデジタルコンバータは、前記ＡＧＣ回路によってレベル調整された前記ＩＦ信号をデジタル信号に変換し、
前記ＡＧＣ回路、前記アナログデジタルコンバータ、前記第１の復調回路、前記第２の復調回路および前記クロック制御回路は、１個の集積回路に含まれる請求項５記載のチューナ。
【請求項７】
前記チューナは、さらに、
前記周波数変換された前記ＩＦ信号のレベル調整を行なうＡＧＣ回路を備え、
前記第１の復調回路は、前記ＡＧＣ回路によってレベル調整された前記ＩＦ信号を復調することにより前記第１の放送に対応する第１の復調信号を生成し、かつ前記ＡＧＣ回路によってレベル調整された前記ＩＦ信号に基づいてＡＧＣ信号を生成し、
前記第２の復調回路は、前記ＡＧＣ回路によってレベル調整された前記ＩＦ信号を復調することにより前記第２の放送に対応する第２の復調信号を生成し、かつ前記ＡＧＣ回路によってレベル調整された前記ＩＦ信号に基づいてＡＧＣ信号を生成し、
前記チューナは、さらに、
前記第１の復調回路が生成した前記ＡＧＣ信号を前記ＡＧＣ回路へ出力するか、前記第２の復調回路が生成した前記ＡＧＣ信号を前記ＡＧＣ回路へ出力するかを切り替えるスイッチ回路を備える請求項１記載のチューナ。
【請求項８】
前記第１の復調回路および前記第２の復調回路の少なくともいずれか一方は、１個の集積回路に含まれ、
前記集積回路は、制御バスに接続され、前記制御バス経由で外部から受けた制御信号に基づいて、前記スイッチ回路を制御する請求項７記載のチューナ。
【請求項９】
前記ミキサ回路は、１個の集積回路に含まれ、
前記集積回路は、制御バスに接続され、前記制御バス経由で外部から受けた制御信号に基づいて、前記スイッチ回路を制御する請求項７記載のチューナ。
【発明の詳細な説明】
【技術分野】
【０００１】
本発明は、チューナに関し、特に、複数の放送を受信するチューナに関する。
【背景技術】
【０００２】
地上波デジタル放送およびＣＡＴＶ（Cable Television）放送を受信する電子チューナが開発されている。このような複数の放送を受信するチューナの一例として、たとえば、特許文献１には以下のような受信装置が開示されている。すなわち、アナログ変調波とデジタル変調波が混在する雰囲気の高周波信号を受信する受信装置において、高周波信号のチャンネル選択を行い選択された高周波信号を中間周波信号に変換して導入する中間周波導入手段と、中間周波信号が供給され、複数の変調方式の変調波をそれぞれ処理することができる復調処理手段と、この復調処理手段のデジタル変調波の復調部出力として現れるべき信号を用いて、アナログ変調波とデジタル変調波のどちらが伝送されているのかを判定し、その変調方式に適切な復調処理モードに復調処理手段を切り替えると共に、適切な復調出力を選択して出力する制御手段とを備える。
【０００３】
また、特許文献２には以下のようなデジタル放送受信装置が開示されている。すなわち、ＵＨＦ帯の地上波デジタル放送信号が入力される第１のアンテナ入力端子と、ＢＳデジタル放送信号が入力される第２のアンテナ入力端子と、第１，第２のアンテナ入力端子にそれぞれ入力された地上波デジタル放送信号およびＢＳデジタル放送信号を含む信号を増幅する高周波増幅器と、地上波デジタル放送信号およびＢＳデジタル放送信号を含む周波数帯域のチャンネル信号を選局するための局部発振信号をＰＬＬ制御により発生する局部発振回路と、高周波増幅器で増幅した放送信号と局部発振回路からの局部発振信号とを混合し、中間周波数信号を出力する混合器とを備える。
【０００４】
また、特許文献３には以下のような受信装置が開示されている。すなわち、第１の周波数を搬送波とする残留側波帯振幅変調信号、または第２の周波数を搬送波とするデジタル変調信号を受信し、アナログ信号またはデジタル信号を復調する受信装置であって、入力信号が与えられ、その中心周波数に対して対称な周波数特性を有する帯域通過フィルタと、帯域通過フィルタで濾波された残留側波帯振幅変調信号またはデジタル変調信号が入力され、第１の搬送波成分、及びこの信号と９０度位相のずれた第２の搬送波成分を発振し、同期検波を行なう直交検波器と、直交検波器から出力される第１の搬送波成分との同期検波信号を入力し、タップ係数を変更することにより周波数等化を行なう第１のフィルタ部と、直交検波器から出力される第２の搬送波成分との同期検波信号を入力し、タップ係数を変更することにより周波数等化を行なう第２のフィルタ部と、第１及び第２のフィルタ部の信号を入力してデジタル信号の波形等化と誤り訂正を行い、デジタルデータを復号する復号処理回路とを備える。
【０００５】
また、特許文献４には以下のような地上波デジタル放送受信チューナが開示されている。すなわち、ＶＨＦ（Very High Frequency）帯の特定チャンネルに配列された複数のセグメントの中から所望のセグメントを選択すると共に、選択されたセグメントに割り当てられたデジタル放送信号を第１の中間周波数に周波数変換する第１の混合器と、第１の混合器に局部発振信号を供給する第１の局部発振器とを備える。
【特許文献１】特開平５−３４７７３６号公報
【特許文献２】特開２００２−１３５６６８号公報
【特許文献３】特開平７−７９３９０号公報
【特許文献４】特開２００３−４６８８４号公報
【発明の開示】
【発明が解決しようとする課題】
【０００６】
ところで、地上波デジタル放送およびＣＡＴＶ放送を受信するには、地上波デジタル放送を受信するチューナーブロックとＣＡＴＶ放送を受信するチューナーブロックとが必要となる。
【０００７】
一般的には、ＣＡＴＶ放送を受信するチューナーブロックを備えるチューナに、地上波デジタル放送を受信するチューナーブロックと、地上波デジタル放送およびＣＡＴＶ放送に対応するＲＦ信号を分配して地上波デジタル放送を受信するチューナーブロックへ出力する分配器とが設けられる。
【０００８】
しかしながら、このような構成では、２つのチューナーブロックおよび分配器が必要となるため、サイズが大きくなるとともに、消費電力も大きくなる。
【０００９】
また、分配器の分配損失によってＮＦ（Noise Figure：雑音指数）が劣化することにより、地上波デジタル放送を受信するチューナーブロックの受信性能が劣化してしまう。
【００１０】
さらに、ＣＡＴＶ放送を受信するチューナーブロックおよび地上波デジタル放送を受信するチューナーブロックが同時に動作する構成では、各チューナーブロックから発生するスプリアス信号、たとえば各チューナーブロックを動作させるためのマスタークロックの基本波および高調波、ならびにローカル信号の基本波および高調波がチューナーブロック間で互いに干渉してしまうことにより、チューナの受信性能の劣化を引き起こしてしまう。
【００１１】
それゆえに、本発明の目的は、複数の放送を受信し、受信性能の劣化を防ぎ、小型化を図り、かつ消費電力を低減することが可能なチューナを提供することである。
【課題を解決するための手段】
【００１２】
上記課題を解決するために、この発明のある局面に係わるチューナは、第１の放送および第２の放送を受信するチューナであって、受けたＲＦ信号と、第１の放送または第２の放送に対応する局部発振信号とを乗算することによりＲＦ信号をＩＦ信号に周波数変換するミキサ回路と、周波数変換されたＩＦ信号を復調することにより第１の放送に対応する第１の復調信号を生成する第１の復調回路と、周波数変換されたＩＦ信号を復調することにより第２の放送に対応する第２の復調信号を生成する第２の復調回路と、第１の復調回路へのクロックの出力を停止することにより第１の復調回路の復調動作を停止するか、第２の復調回路へのクロックの出力を停止することにより第２の復調回路の復調動作を停止するかを切り替えるクロック制御回路とを備える。
【００１３】
好ましくは、チューナは、さらに、周波数変換されたＩＦ信号のうち、所定周波数帯域外の周波数成分を減衰させるＳＡＷフィルタと、ＳＡＷフィルタを通過したＩＦ信号のレベル調整を行なうＡＧＣ回路とを備え、第１の復調回路は、ＡＧＣ回路によってレベル調整されたＩＦ信号を復調することにより第１の放送に対応する第１の復調信号を生成し、第２の復調回路は、ＡＧＣ回路によってレベル調整されたＩＦ信号を復調することにより第２の放送に対応する第２の復調信号を生成する。
【００１４】
好ましくは、チューナは、さらに、周波数変換されたＩＦ信号のうち、所定周波数帯域外の周波数成分を減衰させるＳＡＷフィルタと、ＳＡＷフィルタを通過したＩＦ信号のレベル調整を行なう第１のＡＧＣ回路と、ＳＡＷフィルタを通過したＩＦ信号のレベル調整を行なう第２のＡＧＣ回路とを備え、第１の復調回路は、第１のＡＧＣ回路によってレベル調整されたＩＦ信号を復調することにより第１の放送に対応する第１の復調信号を生成し、第２の復調回路は、第２のＡＧＣ回路によってレベル調整されたＩＦ信号を復調することにより第２の放送に対応する第２の復調信号を生成する。
【００１５】
好ましくは、チューナは、さらに、周波数変換されたＩＦ信号のうち、第１の放送に対応する周波数帯域外の周波数成分を減衰させる第１のＳＡＷフィルタと、周波数変換されたＩＦ信号のうち、第２の放送に対応する周波数帯域外の周波数成分を減衰させる第２のＳＡＷフィルタと、第１のＳＡＷフィルタを通過したＩＦ信号のレベル調整を行なう第１のＡＧＣ回路と、第２のＳＡＷフィルタを通過したＩＦ信号のレベル調整を行なう第２のＡＧＣ回路とを備え、第１の復調回路は、第１のＡＧＣ回路によってレベル調整されたＩＦ信号を復調することにより第１の放送に対応する第１の復調信号を生成し、第２の復調回路は、第２のＡＧＣ回路によってレベル調整されたＩＦ信号を復調することにより第２の放送に対応する第２の復調信号を生成する。
【００１６】
好ましくは、チューナは、さらに、周波数変換されたＩＦ信号をデジタル信号に変換するアナログデジタルコンバータを備え、第１の復調回路は、アナログデジタルコンバータから受けたデジタル信号を復調することにより第１の放送に対応する第１の復調信号を生成し、第２の復調回路は、アナログデジタルコンバータから受けたデジタル信号を復調することにより第２の放送に対応する第２の復調信号を生成する。
【００１７】
より好ましくは、チューナは、さらに、周波数変換されたＩＦ信号のレベル調整を行なうＡＧＣ回路を備え、アナログデジタルコンバータは、ＡＧＣ回路によってレベル調整されたＩＦ信号をデジタル信号に変換し、ＡＧＣ回路、アナログデジタルコンバータ、第１の復調回路、第２の復調回路およびクロック制御回路は、１個の集積回路に含まれる。
【００１８】
好ましくは、チューナは、さらに、周波数変換されたＩＦ信号のレベル調整を行なうＡＧＣ回路を備え、第１の復調回路は、ＡＧＣ回路によってレベル調整されたＩＦ信号を復調することにより第１の放送に対応する第１の復調信号を生成し、かつＡＧＣ回路によってレベル調整されたＩＦ信号に基づいてＡＧＣ信号を生成し、第２の復調回路は、ＡＧＣ回路によってレベル調整されたＩＦ信号を復調することにより第２の放送に対応する第２の復調信号を生成し、かつＡＧＣ回路によってレベル調整されたＩＦ信号に基づいてＡＧＣ信号を生成し、チューナは、さらに、第１の復調回路が生成したＡＧＣ信号をＡＧＣ回路へ出力するか、第２の復調回路が生成したＡＧＣ信号をＡＧＣ回路へ出力するかを切り替えるスイッチ回路を備える。
【００１９】
より好ましくは、第１の復調回路および第２の復調回路の少なくともいずれか一方は、１個の集積回路に含まれ、集積回路は、制御バスに接続され、制御バス経由で外部から受けた制御信号に基づいて、スイッチ回路を制御する。
【００２０】
より好ましくは、ミキサ回路は、１個の集積回路に含まれ、集積回路は、制御バスに接続され、制御バス経由で外部から受けた制御信号に基づいて、スイッチ回路を制御する。
【発明の効果】
【００２１】
本発明によれば、複数の放送を受信し、受信性能の劣化を防ぎ、小型化を図り、かつ消費電力を低減することができる。
【発明を実施するための最良の形態】
【００２２】
以下、本発明の実施の形態について図面を用いて説明する。なお、図中同一または相当部分には同一符号を付してその説明は繰り返さない。
【００２３】
＜第１の実施の形態＞
図１は、本発明の第１の実施の形態に係るチューナの機能ブロック図である。
【００２４】
図１を参照して、チューナ１０１は、入力端子Ｔ１と、バイパスフィルタ１と、ＲＦ＿ＡＧＣ（Auto Gain Control）回路２と、バイパスフィルタ３と、ミキサ４と、ＶＣＯ（Voltage Controlled Oscillator）５と、ＰＬＬ（Phase Locked Loop）回路６と、アンプ７と、ＳＡＷ（Surface Acoustic Wave）フィルタ８と、ＩＦ＿ＡＧＣ回路９と、Ａ／Ｄ（Analog to Digital）コンバータ１０と、ＱＡＭ（Quadrature Amplitude Modulation）復調回路１１と、Ａ／Ｄコンバータ１２と、ＯＦＤＭ（Orthogonal Frequency Division Multiplex）復調回路１３と、スイッチ回路１４と、クロック制御回路１５，１６と、制御端子Ｔ２とを備える。ミキサ４と、ＶＣＯ５と、ＰＬＬ回路６と、アンプ７とは、１個の集積回路ＩＣ１に含まれる。Ａ／Ｄコンバータ１０と、ＱＡＭ復調回路１１と、クロック制御回路１５とは、１個の集積回路ＩＣ２に含まれる。Ａ／Ｄコンバータ１２と、ＯＦＤＭ復調回路１３と、クロック制御回路１６とは、１個の集積回路ＩＣ３に含まれる。また、筐体Ｋは、バイパスフィルタ１と、ＲＦ＿ＡＧＣ回路２と、バイパスフィルタ３と、ミキサ４と、ＶＣＯ５と、ＰＬＬ回路６と、アンプ７と、ＳＡＷフィルタ８と、ＩＦ＿ＡＧＣ回路９と、Ａ／Ｄコンバータ１０と、ＱＡＭ復調回路１１と、Ａ／Ｄコンバータ１２と、ＯＦＤＭ復調回路１３と、スイッチ回路１４と、クロック制御回路１５，１６とを収納する。入力端子Ｔ１と、出力端子Ｔ２とは、筐体Ｋに取り付けられる。
【００２５】
入力端子Ｔ１は、外部からＲＦ（無線周波：Radio Frequency）信号を受ける。ＲＦ信号は、たとえば４７０ＭＨｚ〜７７０ＭＨｚのＵＨＦ（Ultra High Frequency）信号である。
【００２６】
バイパスフィルタ１は、単同調フィルタであり、入力端子Ｔ１から受けたＲＦ信号のうち、地上波デジタル放送およびＣＡＴＶ放送に対応する周波数帯域以外の周波数成分を減衰させる。
【００２７】
ＲＦ＿ＡＧＣ回路２は、バイパスフィルタ１を通過したＲＦ信号のレベル調整を行なう。
【００２８】
バイパスフィルタ３は、複同調フィルタであり、ＲＦ＿ＡＧＣ回路２でレベル調整されたＲＦ信号のうち、地上波デジタル放送およびＣＡＴＶ放送に対応する周波数帯域以外の周波数成分を減衰させる。
【００２９】
ＰＬＬ回路６は、ローカル信号（局部発振信号）の発振周波数を変更する。ＶＣＯ５は、ＰＬＬ回路６の制御に基づいて発振することによりローカル信号を出力する。すなわち、ＰＬＬ回路６は、ＶＣＯ５を制御することにより、地上波デジタル放送またはＣＡＴＶ放送に対応する周波数を有するローカル信号をＶＣＯ５からミキサ４へ出力する。
【００３０】
ミキサ４は、バイパスフィルタ３を通過したＲＦ信号とＶＣＯ５から受けたローカル信号とを乗算することによりＲＦ信号をＩＦ信号に周波数変換して出力する。ＩＦ信号は、たとえば日本では５７ＭＨｚの信号である。
【００３１】
アンプ７は、ミキサ４から受けたＩＦ信号を増幅して出力する。
ＳＡＷフィルタ８は、アンプ７から受けたＩＦ信号のうち、地上波デジタル放送およびＣＡＴＶ放送に対応する周波数帯域以外の周波数成分を減衰させる。
【００３２】
ＩＦ＿ＡＧＣ回路９は、スイッチ回路１４から受けた後述するＡＧＣ信号に基づいて、ＳＡＷフィルタ８を通過したＩＦ信号のレベル調整を行なう。ＩＦ＿ＡＧＣ回路９は、差動出力を有し、一方の出力端子がＡ／Ｄコンバータ１０に接続され、他方の出力端子がＡ／Ｄコンバータ１２に接続される。
【００３３】
Ａ／Ｄコンバータ１０，１２は、それぞれＩＦ＿ＡＧＣ回路９によってレベル調整されたＩＦ信号をデジタル信号に変換して出力する。
【００３４】
ＱＡＭ復調回路１１は、Ａ／Ｄコンバータ１０から受けたデジタル信号をＱＡＭ復調して復調信号を生成し、トランスポートストリーム信号として外部へ出力する。また、ＱＡＭ復調回路１１は、Ａ／Ｄコンバータ１０から受けたデジタル信号のレベルを所定値にするためのＡＧＣ信号を生成し、スイッチ回路１４へ出力する。
【００３５】
ＯＦＤＭ復調回路１３は、Ａ／Ｄコンバータ１２から受けたデジタル信号をＯＦＤＭ復調して復調信号を生成し、トランスポートストリーム信号として外部へ出力する。また、ＯＦＤＭ復調回路１３は、Ａ／Ｄコンバータ１２から受けたデジタル信号のレベルを所定値にするためのＡＧＣ信号を生成し、スイッチ回路１４へ出力する。
【００３６】
クロック制御回路１５，１６は、ＱＡＭ復調回路１１へのマスタークロックの出力を停止することによりＱＡＭ復調回路１１の動作を停止するか、ＯＦＤＭ復調回路１３へのマスタークロックの出力を停止することによりＯＦＤＭ復調回路１３の動作を停止するかを切り替える。より詳細には、クロック制御回路１５は、地上波デジタル放送を受信することを示す制御信号を制御端子Ｔ２経由で外部から受けた場合には、ＱＡＭ復調回路１１へのマスタークロックの出力を停止することによりＱＡＭ復調回路１１の動作を停止する。また、クロック制御回路１６は、ＣＡＴＶ放送を受信することを示す制御信号を制御端子Ｔ２経由で外部から受けた場合には、ＯＦＤＭ復調回路１３へのマスタークロックの出力を停止することによりＯＦＤＭ復調回路１３の動作を停止する。
【００３７】
また、スイッチ回路１４は、ＣＡＴＶ放送を受信することを示す制御信号を制御端子Ｔ２経由で外部から受けた場合には、ＱＡＭ復調回路１１から受けたＡＧＣ信号をＩＦ＿ＡＧＣ回路９へ出力する。また、スイッチ回路１４は、地上波デジタル放送を受信することを示す制御信号を制御端子Ｔ２経由で外部から受けた場合には、ＯＦＤＭ復調回路１３から受けたＡＧＣ信号をＩＦ＿ＡＧＣ回路９へ出力する。
【００３８】
以上のように、本発明の第１の実施の形態に係るチューナでは、ＩＦ＿ＡＧＣ回路９は、差動出力を有し、一方の出力端子がＡ／Ｄコンバータ１０を介してＱＡＭ復調回路１１に接続され、他方の出力端子がＡ／Ｄコンバータ１２を介してＯＦＤＭ復調回路１３に接続される。そして、スイッチ回路１４は、チューナ１０１がＣＡＴＶ放送を受信するか地上波デジタル放送を受信するかに基づいて、ＱＡＭ復調回路１１から受けたＡＧＣ信号およびＯＦＤＭ復調回路１３から受けたＡＧＣ信号のいずれか一方をＩＦ＿ＡＧＣ回路９へ出力する。このような構成により、１つのチューナで地上波デジタル放送およびＣＡＴＶ放送の両方を受信することができるため、チューナの小型化および低消費電力化を図ることができる。また、ＲＦ信号を分配する分配器が不要になる、すなわちＲＦ信号を分配する代わりにＩＦ信号を分配する構成により、ＮＦ劣化によるチューナの受信性能の劣化を低減することができる。
【００３９】
また、本発明の第１の実施の形態に係るチューナでは、クロック制御回路１５，１６は、ＱＡＭ復調回路１１へのマスタークロックの出力を停止することによりＱＡＭ復調回路１１の動作を停止するか、ＯＦＤＭ復調回路１３へのマスタークロックの出力を停止することによりＯＦＤＭ復調回路１３の動作を停止するかを切り替える。このような構成により、スプリアス信号の干渉による受信性能の劣化を防ぐことができる。
【００４０】
なお、本発明の第１の実施の形態に係るチューナでは、入力端子Ｔ１がＵＨＦ帯域のＲＦ信号を受ける１バンド構成であるとしたが、これに限定するものではなく、入力端子Ｔ１がＶＨＦ帯域のＲＦ信号を受ける構成であってもよいし、ＣＡＴＶ帯域のＲＦ信号を受ける構成であってもよいし、２バンド構成または３バンド構成であってもよい。
【００４１】
次に、本発明の他の実施の形態について図面を用いて説明する。なお、図中同一または相当部分には同一符号を付してその説明は繰り返さない。
【００４２】
＜第２の実施の形態＞
本実施の形態は、第１の実施の形態に係るチューナと比べてＩＦ信号を分岐する位置を変更したチューナに関する。以下で説明する内容以外は第１の実施の形態に係るチューナと同様である。
【００４３】
図２は、本発明の第２の実施の形態に係るチューナの機能ブロック図である。
図２を参照して、チューナ１０２は、本発明の第１の実施の形態に係るチューナと比べて、スイッチ回路１４を備えず、ＳＡＷフィルタ８の代わりにＳＡＷフィルタ２１を備え、ＩＦ＿ＡＧＣ回路９の代わりにＩＦ＿ＡＧＣ回路２２を備え、さらに、ＩＦ＿ＡＧＣ回路２３を備える。
【００４４】
ＳＡＷフィルタ２１は、アンプ７から受けたＩＦ信号のうち、地上波デジタル放送およびＣＡＴＶ放送に対応する周波数帯域以外の周波数成分を減衰させる。ＳＡＷフィルタ２１は、差動出力を有し、一方の出力端子がＩＦ＿ＡＧＣ回路２２に接続され、他方の出力端子がＩＦ＿ＡＧＣ回路２３に接続される。
【００４５】
ＩＦ＿ＡＧＣ回路２２は、ＱＡＭ復調回路１１から受けた後述するＡＧＣ信号に基づいて、ＳＡＷフィルタ２１を通過したＩＦ信号のレベル調整を行なう。ＩＦ＿ＡＧＣ回路２３は、ＯＦＤＭ復調回路１３から受けた後述するＡＧＣ信号に基づいて、ＳＡＷフィルタ２１を通過したＩＦ信号のレベル調整を行なう。
【００４６】
Ａ／Ｄコンバータ１０は、ＩＦ＿ＡＧＣ回路２２によってレベル調整されたＩＦ信号をデジタル信号に変換して出力する。Ａ／Ｄコンバータ１２は、ＩＦ＿ＡＧＣ回路２３によってレベル調整されたＩＦ信号をデジタル信号に変換して出力する。
【００４７】
ＱＡＭ復調回路１１は、Ａ／Ｄコンバータ１０から受けたデジタル信号をＱＡＭ復調して復調信号を生成し、トランスポートストリーム信号として外部へ出力する。また、ＱＡＭ復調回路１１は、Ａ／Ｄコンバータ１０から受けたデジタル信号のレベルを所定値にするためのＡＧＣ信号を生成し、ＩＦ＿ＡＧＣ回路２２へ出力する。
【００４８】
ＯＦＤＭ復調回路１３は、Ａ／Ｄコンバータ１２から受けたデジタル信号をＯＦＤＭ復調して復調信号を生成し、トランスポートストリーム信号として外部へ出力する。また、ＯＦＤＭ復調回路１３は、Ａ／Ｄコンバータ１２から受けたデジタル信号のレベルを所定値にするためのＡＧＣ信号を生成し、ＩＦ＿ＡＧＣ回路２３へ出力する。
【００４９】
以上のように、本発明の第２の実施の形態に係るチューナでは、ＳＡＷフィルタ２１は、差動出力を有し、一方の出力端子がＩＦ＿ＡＧＣ回路２２およびＡ／Ｄコンバータ１０を介してＱＡＭ復調回路１１に接続され、他方の出力端子がＩＦ＿ＡＧＣ回路２３およびＡ／Ｄコンバータ１２を介してＯＦＤＭ復調回路１３に接続される。このような構成により、１つのチューナで地上波デジタル放送およびＣＡＴＶ放送の両方を受信することができるため、チューナの小型化および低消費電力化を図ることができる。また、ＲＦ信号を分配する分配器が不要になる、すなわちＲＦ信号を分配する代わりにＩＦ信号を分配する構成により、ＮＦ劣化によるチューナの受信性能の劣化を低減することができる。
【００５０】
また、本発明の第２の実施の形態に係るチューナは、ＱＡＭ復調回路１１およびＯＦＤＭ復調回路１３用にそれぞれＩＦ＿ＡＧＣ回路２２およびＩＦ＿ＡＧＣ回路２３を備えるため、スイッチ回路１４が不要となる。
【００５１】
その他の構成および動作は第１の実施の形態に係るチューナと同様であるため、ここでは詳細な説明を繰り返さない。したがって、本発明の第２の実施の形態に係るチューナでは、複数の放送を受信し、受信性能の劣化を防ぎ、小型化を図り、かつ消費電力を低減することができる。
【００５２】
次に、本発明の他の実施の形態について図面を用いて説明する。なお、図中同一または相当部分には同一符号を付してその説明は繰り返さない。
【００５３】
＜第３の実施の形態＞
本実施の形態は、第１の実施の形態に係るチューナと比べてＩＦ信号を分岐する位置を変更したチューナに関する。以下で説明する内容以外は第１の実施の形態に係るチューナと同様である。
【００５４】
図３は、本発明の第３の実施の形態に係るチューナの機能ブロック図である。
図３を参照して、チューナ１０３は、本発明の第１の実施の形態に係るチューナと比べて、スイッチ回路１４を備えず、アンプ７の代わりにアンプ３１を備え、ＳＡＷフィルタ８の代わりにＳＡＷフィルタ３２を備え、さらに、ＳＡＷフィルタ３３と、ＩＦ＿ＡＧＣ回路３４とを備える。
【００５５】
アンプ３１は、ミキサ４から受けたＩＦ信号を増幅して出力する。アンプ３１は、差動出力を有し、一方の出力端子がＳＡＷフィルタ３２に接続され、他方の出力端子がＳＡＷフィルタ３３に接続される。
【００５６】
ＳＡＷフィルタ３２は、アンプ３１から受けたＩＦ信号のうち、ＣＡＴＶ放送に対応する周波数帯域以外の周波数成分を減衰させる。ＳＡＷフィルタ３３は、アンプ３１から受けたＩＦ信号のうち、地上波デジタル放送に対応する周波数帯域以外の周波数成分を減衰させる。
【００５７】
ＩＦ＿ＡＧＣ回路９は、ＱＡＭ復調回路１１から受けた後述するＡＧＣ信号に基づいて、ＳＡＷフィルタ３２を通過したＩＦ信号のレベル調整を行なう。ＩＦ＿ＡＧＣ回路３４は、ＯＦＤＭ復調回路１３から受けた後述するＡＧＣ信号に基づいて、ＳＡＷフィルタ３３を通過したＩＦ信号のレベル調整を行なう。
【００５８】
Ａ／Ｄコンバータ１２は、ＩＦ＿ＡＧＣ回路３４によってレベル調整されたＩＦ信号をデジタル信号に変換して出力する。
【００５９】
ＱＡＭ復調回路１１は、Ａ／Ｄコンバータ１０から受けたデジタル信号をＱＡＭ復調して復調信号を生成し、トランスポートストリーム信号として外部へ出力する。また、ＱＡＭ復調回路１１は、Ａ／Ｄコンバータ１０から受けたデジタル信号のレベルを所定値にするためのＡＧＣ信号を生成し、ＩＦ＿ＡＧＣ回路９へ出力する。
【００６０】
ＯＦＤＭ復調回路１３は、Ａ／Ｄコンバータ１２から受けたデジタル信号をＯＦＤＭ復調して復調信号を生成し、トランスポートストリーム信号として外部へ出力する。また、ＯＦＤＭ復調回路１３は、Ａ／Ｄコンバータ１２から受けたデジタル信号のレベルを所定値にするためのＡＧＣ信号を生成し、ＩＦ＿ＡＧＣ回路３４へ出力する。
【００６１】
以上のように、本発明の第３の実施の形態に係るチューナでは、アンプ３１は、ＳＡＷフィルタ３２、ＩＦ＿ＡＧＣ回路９およびＡ／Ｄコンバータ１０を介してＱＡＭ復調回路１１に接続され、他方の出力端子がＳＡＷフィルタ３３、ＩＦ＿ＡＧＣ回路３４およびＡ／Ｄコンバータ１２を介してＯＦＤＭ復調回路１３に接続される。このような構成により、１つのチューナで地上波デジタル放送およびＣＡＴＶ放送の両方を受信することができるため、チューナの小型化および低消費電力化を図ることができる。また、ＲＦ信号を分配する分配器が不要になる、すなわちＲＦ信号を分配する代わりにＩＦ信号を分配する構成により、ＮＦ劣化によるチューナの受信性能の劣化を低減することができる。
【００６２】
その他の構成および動作は第１の実施の形態に係るチューナと同様であるため、ここでは詳細な説明を繰り返さない。したがって、本発明の第３の実施の形態に係るチューナでは、複数の放送を受信し、受信性能の劣化を防ぎ、小型化を図り、かつ消費電力を低減することができる。
【００６３】
次に、本発明の他の実施の形態について図面を用いて説明する。なお、図中同一または相当部分には同一符号を付してその説明は繰り返さない。
【００６４】
＜第４の実施の形態＞
本実施の形態は、第１の実施の形態に係るチューナと比べてＩＦ信号を分岐する位置を変更したチューナに関する。以下で説明する内容以外は第１の実施の形態に係るチューナと同様である。
【００６５】
図４は、本発明の第４の実施の形態に係るチューナの機能ブロック図である。
図４を参照して、チューナ１０４は、本発明の第１の実施の形態に係るチューナと比べて、Ａ／Ｄコンバータ１０，１２の代わりにＡ／Ｄコンバータ４１を備える。また、Ａ／Ｄコンバータ４１と、ＱＡＭ復調回路１１と、クロック制御回路１５と、ＯＦＤＭ復調回路１３と、クロック制御回路１６とは、１個の集積回路ＩＣ２１に含まれる。
【００６６】
Ａ／Ｄコンバータ４１は、ＩＦ＿ＡＧＣ回路９によってレベル調整されたＩＦ信号をデジタル信号に変換してＱＡＭ復調回路１１およびＯＦＤＭ復調回路１３へ出力する。
【００６７】
ＱＡＭ復調回路１１は、Ａ／Ｄコンバータ４１から受けたデジタル信号をＱＡＭ復調して復調信号を生成し、トランスポートストリーム信号として外部へ出力する。また、ＱＡＭ復調回路１１は、Ａ／Ｄコンバータ４１から受けたデジタル信号のレベルを所定値にするためのＡＧＣ信号を生成し、スイッチ回路１４へ出力する。
【００６８】
ＯＦＤＭ復調回路１３は、Ａ／Ｄコンバータ４１から受けたデジタル信号をＯＦＤＭ復調して復調信号を生成し、トランスポートストリーム信号として外部へ出力する。また、ＯＦＤＭ復調回路１３は、Ａ／Ｄコンバータ４１から受けたデジタル信号のレベルを所定値にするためのＡＧＣ信号を生成し、スイッチ回路１４へ出力する。
【００６９】
以上のように、本発明の第４の実施の形態に係るチューナでは、Ａ／Ｄコンバータ４１の出力端子がＱＡＭ復調回路１１およびＯＦＤＭ復調回路１３に接続される。このような構成により、１つのチューナで地上波デジタル放送およびＣＡＴＶ放送の両方を受信することができるため、チューナの小型化および低消費電力化を図ることができる。また、ＲＦ信号を分配する分配器が不要になる、すなわちＲＦ信号を分配する代わりにＩＦ信号を分配する構成により、ＮＦ劣化によるチューナの受信性能の劣化を低減することができる。
【００７０】
その他の構成および動作は第１の実施の形態に係るチューナと同様であるため、ここでは詳細な説明を繰り返さない。したがって、本発明の第４の実施の形態に係るチューナでは、複数の放送を受信し、受信性能の劣化を防ぎ、小型化を図り、かつ消費電力を低減することができる。
【００７１】
次に、本発明の他の実施の形態について図面を用いて説明する。なお、図中同一または相当部分には同一符号を付してその説明は繰り返さない。
【００７２】
＜第５の実施の形態＞
本実施の形態は、第４の実施の形態に係るチューナと比べてさらに集積化を図ったチューナに関する。以下で説明する内容以外は第４の実施の形態に係るチューナと同様である。
【００７３】
図５は、本発明の第５の実施の形態に係るチューナの機能ブロック図である。
図５を参照して、チューナ１０５は、本発明の第４の実施の形態に係るチューナと比べて、ＩＦ＿ＡＧＣ回路９と、Ａ／Ｄコンバータ１０と、ＱＡＭ復調回路１１と、クロック制御回路１５と、ＯＦＤＭ復調回路１３と、クロック制御回路１６とが、１個の集積回路ＩＣ２２に含まれる。
【００７４】
このように、本発明の第４の実施の形態に係るチューナと比べてＩＦ＿ＡＧＣ回路９がさらに１個の集積回路ＩＣ２２に含まれる構成により、チューナの小型化および低消費電力化をさらに図ることができる。
【００７５】
その他の構成および動作は第１の実施の形態に係るチューナと同様であるため、ここでは詳細な説明を繰り返さない。したがって、本発明の第５の実施の形態に係るチューナでは、複数の放送を受信し、受信性能の劣化を防ぎ、小型化を図り、かつ消費電力を低減することができる。
【００７６】
次に、本発明の他の実施の形態について図面を用いて説明する。なお、図中同一または相当部分には同一符号を付してその説明は繰り返さない。
【００７７】
＜第６の実施の形態＞
本実施の形態は、第１の実施の形態に係るチューナと比べてチューナが受信する放送を示す制御信号の伝達経路を変更したチューナに関する。以下で説明する内容以外は第１の実施の形態に係るチューナと同様である。
【００７８】
図６は、本発明の第６の実施の形態に係るチューナの機能ブロック図である。
図６を参照して、チューナ１０６は、本発明の第１の実施の形態に係るチューナと比べて、制御端子Ｔ２を備えず、集積回路ＩＣ２，ＩＣ３の代わりに集積回路ＩＣ２３，ＩＣ２４を備える。
【００７９】
集積回路ＩＣ２３は、Ａ／Ｄコンバータ１０と、ＱＡＭ復調回路１１と、クロック制御回路１５とを含む。集積回路ＩＣ２４は、Ａ／Ｄコンバータ１２と、ＯＦＤＭ復調回路１３と、クロック制御回路１６とを含む。
【００８０】
集積回路ＩＣ２３，ＩＣ２４は、制御バスＢＵＳに接続され、制御バスＢＵＳ経由で外部から受けた制御信号に基づいて、スイッチ回路１４を制御する。制御バスＢＵＳは、たとえばＩ２Ｃバスである。なお、集積回路ＩＣ２３およびＩＣ２４のいずれか一方がスイッチ回路１４を制御する構成であってもよい。
【００８１】
すなわち、スイッチ回路１４は、ＣＡＴＶ放送を受信することを示す制御信号を制御バスＢＵＳおよび集積回路ＩＣ２３，ＩＣ２４を介して外部から受けた場合には、ＱＡＭ復調回路１１から受けたＡＧＣ信号をＩＦ＿ＡＧＣ回路９へ出力する。また、スイッチ回路１４は、地上波デジタル放送を受信することを示す制御信号を制御バスＢＵＳおよび集積回路ＩＣ２３，ＩＣ２４を介して外部から受けた場合には、ＯＦＤＭ復調回路１３から受けたＡＧＣ信号をＩＦ＿ＡＧＣ回路９へ出力する。
【００８２】
また、クロック制御回路１５は、地上波デジタル放送を受信することを示す制御信号を制御バスＢＵＳ経由で外部から受けた場合には、ＱＡＭ復調回路１１へのマスタークロックの出力を停止することによりＱＡＭ復調回路１１の動作を停止する。また、クロック制御回路１６は、ＣＡＴＶ放送を受信することを示す制御信号を制御バスＢＵＳ経由で外部から受けた場合には、ＯＦＤＭ復調回路１３へのマスタークロックの出力を停止することによりＯＦＤＭ復調回路１３の動作を停止する。
【００８３】
このように、本発明の第６の実施の形態に係るチューナでは、制御バスＢＵＳによってチューナのＣＡＴＶ放送の受信動作および地上波デジタル放送の受信動作を切り替えることができる。
【００８４】
その他の構成および動作は第１の実施の形態に係るチューナと同様であるため、ここでは詳細な説明を繰り返さない。したがって、本発明の第６の実施の形態に係るチューナでは、複数の放送を受信し、受信性能の劣化を防ぎ、小型化を図り、かつ消費電力を低減することができる。
【００８５】
次に、本発明の他の実施の形態について図面を用いて説明する。なお、図中同一または相当部分には同一符号を付してその説明は繰り返さない。
【００８６】
＜第７の実施の形態＞
本実施の形態は、第１の実施の形態に係るチューナと比べてチューナが受信する放送を示す制御信号の伝達経路を変更したチューナに関する。以下で説明する内容以外は第１の実施の形態に係るチューナと同様である。
【００８７】
図７は、本発明の第７の実施の形態に係るチューナの機能ブロック図である。
図７を参照して、チューナ１０７は、本発明の第１の実施の形態に係るチューナと比べて、制御端子Ｔ２を備えず、集積回路ＩＣ１の代わりに集積回路ＩＣ２５を備える。
【００８８】
集積回路ＩＣ２５は、ミキサ４と、ＶＣＯ５と、ＰＬＬ回路６と、アンプ７とを含む。集積回路ＩＣ２５は、制御バスＢＵＳに接続され、制御バスＢＵＳ経由で外部から受けた制御信号に基づいて、スイッチ回路１４およびクロック制御回路１５，１６をを制御する。制御バスＢＵＳは、たとえばＩ２Ｃバスである。
【００８９】
すなわち、スイッチ回路１４は、ＣＡＴＶ放送を受信することを示す制御信号を制御バスＢＵＳおよび集積回路ＩＣ２５を介して外部から受けた場合には、ＱＡＭ復調回路１１から受けたＡＧＣ信号をＩＦ＿ＡＧＣ回路９へ出力する。また、スイッチ回路１４は、地上波デジタル放送を受信することを示す制御信号を制御バスＢＵＳおよび集積回路ＩＣ２５を介して外部から受けた場合には、ＯＦＤＭ復調回路１３から受けたＡＧＣ信号をＩＦ＿ＡＧＣ回路９へ出力する。
【００９０】
また、クロック制御回路１５は、地上波デジタル放送を受信することを示す制御信号を制御バスＢＵＳおよび集積回路ＩＣ２５を介して外部から受けた場合には、ＱＡＭ復調回路１１へのマスタークロックの出力を停止することによりＱＡＭ復調回路１１の動作を停止する。また、クロック制御回路１６は、ＣＡＴＶ放送を受信することを示す制御信号を制御バスＢＵＳおよび集積回路ＩＣ２５を介して外部から受けた場合には、ＯＦＤＭ復調回路１３へのマスタークロックの出力を停止することによりＯＦＤＭ復調回路１３の動作を停止する。
【００９１】
このように、本発明の第７の実施の形態に係るチューナでは、制御バスＢＵＳによってチューナのＣＡＴＶ放送の受信動作および地上波デジタル放送の受信動作を切り替えることができる。
【００９２】
その他の構成および動作は第１の実施の形態に係るチューナと同様であるため、ここでは詳細な説明を繰り返さない。したがって、本発明の第７の実施の形態に係るチューナでは、複数の放送を受信し、受信性能の劣化を防ぎ、小型化を図り、かつ消費電力を低減することができる。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９４】
【図１】本発明の第１の実施の形態に係るチューナの機能ブロック図である。
【図２】本発明の第２の実施の形態に係るチューナの機能ブロック図である。
【図３】本発明の第３の実施の形態に係るチューナの機能ブロック図である。
【図４】本発明の第４の実施の形態に係るチューナの機能ブロック図である。
【図５】本発明の第５の実施の形態に係るチューナの機能ブロック図である。
【図６】本発明の第６の実施の形態に係るチューナの機能ブロック図である。
【図７】本発明の第７の実施の形態に係るチューナの機能ブロック図である。
【符号の説明】
【００９５】
１  バイパスフィルタ、２  ＲＦ＿ＡＧＣ回路、３  バイパスフィルタ、４  ミキサ、５  ＶＣＯ、６  ＰＬＬ回路、７，３１  アンプ、８，２１，３２，３３  ＳＡＷフィルタ、９，２２，２３，３４  ＩＦ＿ＡＧＣ回路、１０，１２，４１  Ａ／Ｄコンバータ、１１  ＱＡＭ復調回路、１３  ＯＦＤＭ復調回路、１４  スイッチ回路、１５，１６  クロック制御回路、Ｔ１  入力端子、Ｔ２  制御端子、ＩＣ１，ＩＣ２，ＩＣ３，ＩＣ２１，ＩＣ２２，ＩＣ２３，ＩＣ２４，ＩＣ２５  集積回路、Ｋ  筐体、ＢＵＳ  制御バス、１０１〜１０７  チューナ。
【図１】
2009094622.tif 000003
【図２】
2009094622.tif 000004
【図３】
2009094622.tif 000005
【図４】
2009094622.tif 000006
【図５】
2009094622.tif 000007
【図６】
2009094622.tif 000008
【図７】
2009094622.tif 000009